(57)【特許請求の範囲】
【請求項１】
雨水が流入可能に構成された排水部材と、構造物の外壁面に沿って配管された竪樋とを接続可能に構成され、前記排水部材の排水を前記竪樋に流す中継機能を有する雨水排水用中継部材であって、
有底筒状に形成された本体部材と、
前記本体部材の上端の開口部に着脱可能に設けられ、前記本体部材の内部空間と外部とを連通する貫通孔が形成された蓋体と、
前記本体部材の前記外壁面側の上縁から上方に向って突出する板状の取付部と、
を備え、
前記取付部の幅方向の両端側には高さ方向に延びると共に、下端が前記蓋体の上面に連なる縦溝が設けられ、
前記縦溝は前記取付部において前記外壁面と隣り合う壁面とは反対側の壁面から前記外壁面に向かって凹んでいることを特徴とする雨水排水用中継部材。
【請求項２】
雨水が流入可能に構成された排水部材と、構造物の外壁面に沿って配管された竪樋とを接続可能に構成され、前記排水部材の排水を前記竪樋に流す中継機能を有する雨水排水用中継部材であって、
有底筒状に形成された本体部材と、
前記本体部材の上端の開口部に着脱可能に設けられ、前記本体部材の内部空間と外部とを連通する貫通孔が形成された蓋体と、
前記本体部材の前記外壁面側の上縁から上方に向って突出する板状の取付部と、
を備え、
前記取付部の幅方向の両端側には高さ方向に延びると共に、下端が前記蓋体の上面に連なる縦溝が設けられ、
前記縦溝に連設する誘導壁が設けられ、
前記誘導壁は、前記取付部の上面から前記本体部材の上面に向けて傾斜する斜面を有し、
前記誘導壁の頂面と前記頂面の幅方向内側に隣り合い且つ前記頂面よりも低い面とを有する段部が設けられていることを特徴とする雨水排水用中継部材。
【請求項３】
雨水が流入可能に構成された排水部材と、構造物の外壁面に沿って配管された竪樋とを接続可能に構成され、前記排水部材の排水を前記竪樋に流す中継機能を有する雨水排水用中継部材であって、
有底筒状に形成された本体部材と、
前記本体部材の上端の開口部に着脱可能に設けられ、前記本体部材の内部空間と外部とを連通する貫通孔が形成された蓋体と、
前記本体部材の前記外壁面側の上縁から上方に向って突出する板状の取付部と、
を備え、
前記取付部の幅方向の両端側には高さ方向に延びると共に、下端が前記蓋体の上面に連なる縦溝が設けられ、
前記取付部の上面には、幅方向の中央に向けて漸次低くなる凹部が形成されていることを特徴とする雨水排水用中継部材。
【請求項４】
雨水が流入可能に構成された排水部材と、構造物の外壁面に沿って配管され、外面に複数の溝が形成された竪樋とを接続可能に構成され、前記排水部材の排水を前記竪樋に流す中継機能を有する雨水排水用中継部材であって、
有底筒状に形成された本体部材と、
前記本体部材の上端の開口部に着脱可能に設けられ、前記本体部材の内部空間と外部とを連通する貫通孔が形成された蓋体と、
前記本体部材の前記外壁面側の上縁から上方に向って突出する板状の取付部と、
を備え、
前記取付部の幅方向の両端側には高さ方向に延びると共に、下端が前記蓋体の上面に連なる縦溝が設けられ、
前記本体部材の周壁部の表面の一部又は全部に、壁面の上下方向と平行な方向に連続する多数の溝が形成されており、
前記本体部材の後壁部にウェルドラインが形成されていることを特徴とする雨水排水用中継部材。
【発明の詳細な説明】
【技術分野】
【０００１】
本発明は、雨水排水用中継部材に関する。
【背景技術】
【０００２】
従来、例えばマンション等の大型の構造物における雨水排水用の排水設備として、屋上やバルコニー、屋外廊下等に設けられるドレンと、構造物の躯体に埋設され、一端がドレンに接続され、他端が構造物の躯体から突出された排水部材と、排水部材の他端に接続された中継部材と、中継部材に接続された竪樋と、を備えた構成が知られている。
【０００３】
上述の中継部材の一例として、例えば、特許文献１に示されているように、平面視矩形状の箱体からなる角マスがある。この角マスは、例えば硬質塩化ビニル樹脂等の樹脂材料からなり、構造物の外壁面等にアンカーやブラケット等を介して取り付けられる。この角マスの上面部には開口（流入口）が形成されており、この開口から排水部材の他端が挿入される。また、角マスの底部には、筒状の流出口が垂設されており、この流出口に竪樋の上端が継手される。
【０００４】
上述の特許文献１に例示されているように角マス上面部に流入口が形成されているものの他に、角マスの周壁部に開口（流入口）が形成されたものもある。例えば、特許文献２には、周壁部及び上面部のうちの少なくとも一方に、排水部材に接続される流入口が設けられ、底部に、竪樋に接続される流出口が設けられた樹脂製の本体部材と、周壁部の表面を被覆する金属製の被覆部材と、を備えた雨水排水用中継部材が開示されている。
【０００５】
特許文献２に開示されている雨水排水用中継部材（以下、単に「中継部材」とする場合がある。）において、構造物の外壁面に本体部材を取り付けるための取付部は、本体部材の両側の側面部に対して略垂直に屈曲するように設けられ、側端部分の表面に沿って平板状に形成されている。
【０００６】
このような中継部材の変形例として、図１１及び図１２に示すように、構造物の外壁面Ｗ側の本体部材５２の上端縁から上方へ突出し、板状に形成されている取付部７５を備えた中継部材５１が知られている。
【先行技術文献】
【特許文献】
【０００７】
【特許文献１】特開２００７−２５３９号公報
【特許文献２】特開２０１０−２６５７２６号公報
【発明の概要】
【発明が解決しようとする課題】
【０００８】
図１１及び図１２に示す中継部材５１は、雨水が流入する排水部材１０と、構造物の外壁面Ｗに沿って配管された竪樋１１とを接続し、排水部材１０の排水を竪樋１１に流す中継機能を有する中継部材であって、有底筒状に形成された本体部材５２と、本体部材５２の上端の開口部に着脱可能に設けられ、本体部材５２の内部空間Ｓ５１と外部とを連通する貫通孔６９ａが形成された蓋体６９と、本体部材５２の外壁面Ｗ側の上縁７４ｔから上方に向って突出する板状の取付部７５と、を備えている。中継部材５１の流出口は、継手４１，４２を介して竪樋１１に接続されている。
【０００９】
しかしながら、構造物の外壁面Ｗを伝って中継部材５１の取付部７５の上部に達した雨水の少なくとも一部は、図１２に矢印で示すように、中継部材５１の表面に付着していた汚れと共に本体部材５２の周壁部７０に流れ出し、周壁部７０から再び外壁面Ｗを伝い流れて、下降する。
上述のように、図１１及び図１２に例示した従来の中継部材では、中継部の上端に流れてきた雨水が汚れを伴って構造物の外壁面に達して、矢印で示すように外壁面を伝うことで、構造物の外壁面が汚れてしまうという問題があった。
【００１０】
本発明は、上記課題を解決するためになされたものであって、雨水排水用中継部材を取り付けた構造物の外壁面等から伝って雨水排水用中継部材の上端に流れてきた雨水と、雨水排水用中継部材の表面に付着していた汚れによって、構造物の外壁面が汚れるのを防止する。
【課題を解決するための手段】
【００１１】
上述の目的を達成するために、本発明に係る雨水排水用中継部材は、雨水が流入可能に構成された排水部材と、構造物の外壁面に沿って配管された竪樋とを接続可能に構成され、前記排水部材の排水を前記竪樋に流す中継機能を有する雨水排水用中継部材であって、有底筒状に形成された本体部材と、前記本体部材の上端の開口部に着脱可能に設けられ、前記本体部材の内部空間と外部とを連通する貫通孔が形成された蓋体と、前記本体部材の前記外壁面側の上縁から上方に向って突出する板状の取付部と、を備え、前記取付部の幅方向の両端側には高さ方向に延びると共に、下端が前記蓋体の上面に連なる縦溝が設けられ、前記縦溝は前記取付部において前記外壁面と隣り合う壁面とは反対側の壁面から前記外壁面に向かって凹んでいることを特徴とする。
上述の雨水排水用中継部材では、取付対象の構造物の外壁面等から伝って雨水排水用中継部材の上端に流れてきた雨水が取付部の上面に達し、そこから取付部の幅方向の両側に流れ、縦溝に流入する。縦溝の下端が蓋体の上面に連なっているので、縦溝に流入した雨水は、蓋体の上面に集水され、貫通孔から本体部材の内部空間を通って最終的には竪樋に流れ出す。従って、雨水排水用中継部材の上端、つまり、取付部の上端に流れてきた雨水は、本体部材の側面に溢れ出ることなく、円滑に、本体部材の内部空間及び竪樋内に流入し、排水される。これにより、取付部の上面に達した雨水が本体部材の側方の外壁面を伝って流れ落ちることを防ぐことができる。
【００１２】
本発明に係る雨水排水用中継部材は、雨水が流入可能に構成された排水部材と、構造物の外壁面に沿って配管された竪樋とを接続可能に構成され、前記排水部材の排水を前記竪樋に流す中継機能を有する雨水排水用中継部材であって、有底筒状に形成された本体部材と、前記本体部材の上端の開口部に着脱可能に設けられ、前記本体部材の内部空間と外部とを連通する貫通孔が形成された蓋体と、前記本体部材の前記外壁面側の上縁から上方に向って突出する板状の取付部と、を備え、前記取付部の幅方向の両端側には高さ方向に延びると共に、下端が前記蓋体の上面に連なる縦溝が設けられ、前記縦溝に連設する誘導壁が設けられ、前記誘導壁は、前記取付部の上面から前記本体部材の上面に向けて傾斜する斜面を有し、前記誘導壁の頂面と前記頂面の幅方向内側に隣り合い且つ前記頂面よりも低い面とを有する段部が設けられていることを特徴とする。
上述の雨水排水用中継部材では、縦溝に流入する際に、雨水に取付部の幅方向の外側に向かう勢いがあっても、その勢いを斜面で吸収及び低減することができる。そのため、雨水排水用中継部材の上端、つまり、取付部の上端に流れてきた雨水は、本体部材の側面に溢れ出ることなく、より円滑に且つ確実に、本体部材の内部空間及び竪樋内に流入する。
【００１３】
本発明に係る雨水排水用中継部材は、雨水が流入可能に構成された排水部材と、構造物の外壁面に沿って配管された竪樋とを接続可能に構成され、前記排水部材の排水を前記竪樋に流す中継機能を有する雨水排水用中継部材であって、有底筒状に形成された本体部材と、前記本体部材の上端の開口部に着脱可能に設けられ、前記本体部材の内部空間と外部とを連通する貫通孔が形成された蓋体と、前記本体部材の前記外壁面側の上縁から上方に向って突出する板状の取付部と、を備え、前記取付部の幅方向の両端側には高さ方向に延びると共に、下端が前記蓋体の上面に連なる縦溝が設けられ、前記取付部の上面には、幅方向の中央に向けて漸次低くなる凹部が形成されていることを特徴とする。
上述の雨水排水用中継部材では、雨水排水用中継部材の上端に流れてきた雨水の一部が凹部によって、上面の幅方向の中央側に集められ、凹部の底端から取付部の外壁面とは反対側の面を伝って蓋体の上面に集水される。このように、取付部の上面に流れてきた雨水を縦溝と凹部の双方によって集水するので、雨水は本体部材の側面に溢れ出ることなく、より円滑に且つ確実に、本体部材の内部空間及び竪樋内に流入する。
【００１４】
本発明に係る雨水排水用中継部材は、雨水が流入可能に構成された排水部材と、構造物の外壁面に沿って配管され、外面に複数の溝が形成された竪樋とを接続可能に構成され、前記排水部材の排水を前記竪樋に流す中継機能を有する雨水排水用中継部材であって、有底筒状に形成された本体部材と、前記本体部材の上端の開口部に着脱可能に設けられ、前記本体部材の内部空間と外部とを連通する貫通孔が形成された蓋体と、前記本体部材の前記外壁面側の上縁から上方に向って突出する板状の取付部と、を備え、前記取付部の幅方向の両端側には高さ方向に延びると共に、下端が前記蓋体の上面に連なる縦溝が設けられ、前記本体部材の周壁部の表面の一部又は全部に、壁面の上下方向と平行な方向に連続する多数の溝が形成されており、前記本体部材の後壁部にウェルドラインが形成されていることを特徴とする。
【発明の効果】
【００１５】
本発明に係る本発明に係る雨水排水用中継部材によれば、雨水排水用中継部材を取り付けた構造物の外壁面等から伝って雨水排水用中継部材の上端に流れてきた雨水と、雨水排水用中継部材の表面に付着していた汚れによって、構造物の外壁面が汚れるのを防止することができる。
【図面の簡単な説明】
【００１６】
【図１】本発明に係る雨水排水用中継部材の一実施形態を示す図であり、構造物の外壁面に取り付け、排水部材及び竪樋を接続した状態を水平方向及び鉛直方向に直交する面で切断して見た断面図である。
【図２】本発明に係る雨水排水用中継部材の一実施形態を前側から見た斜視図である。
【図３】本発明に係る雨水排水用中継部材の一実施形態を示す平面図である。
【図４】図２に示す雨水排水用中継部材の一実施形態の要部を拡大して示した斜視図である。
【図５】本発明に係る雨水排水用中継部材の構成要素を分解して示し、後側から見た場合の斜視図である。
【図６】本発明に係る雨水排水用中継部材の一実施形態におけるスペーサーを前側から見た斜視図である。
【図７】図２に示す雨水排水用中継部材の一実施形態の変形例の要部を拡大して示した斜視図である。
【図８】本発明に係る雨水排水用中継部材の一実施形態におけるスペーサーの変形例を示す斜視図である。
【図９】本発明に係る雨水排水用中継部材の一実施形態の変形例を示す図であり、図８に示すスペーサーを用いて構造物の外壁面に取り付け、排水部材及び竪樋を接続した状態を水平方向及び鉛直方向に直交する面で切断して見た断面図である。
【図１０】図８に示すスペーサーを本発明に係る雨水排水用中継部材の一実施形態に取り付けた状態を示す斜視図である。
【図１１】従来の雨水排水用中継部材の一例を示す図であり、構造物の外壁面に取り付け、排水部材及び竪樋を接続した状態を水平方向及び鉛直方向に直交する面で切断して見た断面図である。
【図１２】従来の雨水排水用中継部材の一例を示す図であり、構造物の外壁面に取り付け、竪樋を接続した状態を示す斜視図である。
【発明を実施するための形態】
【００１７】
以下、本発明に係る雨水排水用中継部材の実施形態について、図面に基づいて説明する。
先ず、本実施形態に係る中継部材（雨水排水用中継部材）１の構成について説明する。
【００１８】
図１に示すように、中継部材１は、雨水が流入可能に構成された排水部材１０と、構造物の外壁面Ｗに沿って配管された竪樋１１とを接続可能に構成された中継部材であり、排水部材１０と竪樋１１との間に介装されている。
中継部材１は、大型構造物等に用いられる雨水排水用の角マスであり、中継部材１に接続される排水部材１０は、構造物の躯体内に埋設された横引きの埋設配管であり、例えば塩化ビニル等の樹脂製の管からなる。排水部材１０の一端は、図示していないがドレン等に接続されている。排水部材１０の他端（下流側端部）は、外壁面Ｗから突出し、中継部材１に接続されている。一方、中継部材１に接続される竪樋１１は、外壁面Ｗに沿って鉛直に延設された樋であり、例えばステンレスやアルミニウム等の金属製の管、又は塩化ビニル等の樹脂製の管からなる。
【００１９】
図１に示す符号Ｏは、竪樋１１の中心軸線を示しており、以下、単に「軸線Ｏ」とする。本実施形態においては、軸線Ｏに沿った方向（即ち、図１における縦方向）を「高さ方向」とし、高さ方向のうちの中継部材１の流出口２６が設けられた方向（即ち、図１における下側）を「下方」とし、その反対側（即ち、図１における上側）を「上方」とする。また、高さ方向に直交する方向のうち、外壁面Ｗに対して垂直な方向（即ち、図１における横方向）を「奥行き方向」とし、構造物の外壁面Ｗ側（即ち、図１における右側）を後面（背面）及び後側とし、その反対側（図１における左側）を前面（正面）及び前側とする。さらに、高さ方向に直交する方向のうち、外壁面Ｗに沿った方向、つまり、奥行き方向に直交する方向（即ち、図１の紙面に直交する方向）を「幅方向」とする。
【００２０】
中継部材１は、有底筒状に形成された本体部材２と、本体部材２の上端の開口部に着脱可能に設けられ、本体部材２の内部空間と外部とを連通する貫通孔２９ａが形成された蓋体２９と、本体部材２の外壁面Ｗ側の後壁部２４の上端（上縁）２４ｔから上方に向って突出する板状の取付部１５と、を備え、取付部１５の幅方向の両端側には高さ方向に延びる縦溝１６が設けられている。
【００２１】
本体部材２は、箱状の樹脂部材であって、例えば硬質塩化ビニルやＡＢＳ樹脂、ＡＥＳ等の合成樹脂からなり、例えば射出成形法等の公知の樹脂成形法によって成形されている。
周壁部２０の表層は耐候性のあるＡＢＳ樹脂、ＡＥＳ樹脂で形成され、内層は硬質塩化ビニル樹脂で形成されていることが好ましい。
本体部材２は、軸線Ｏに沿って延設された筒状の周壁部２０と、周壁部２０の下端部に設けられた底部２１と、を備えている。周壁部２０の上端の開口部には、着脱可能に閉塞する蓋体２９が設けられている。また、本体部材２には、排水部材１０の他端に接続可能に構成された流入口２５と、竪樋１１の上流側端部に接続可能に構成された流出口２６が形成されている。
【００２２】
詳しく説明すると、図２及び図３に示すように、周壁部２０は、上方から見た平面視において前方側の一辺が円弧状に形成された略角筒形状の筒部である。周壁部２０の前方側の前壁部２２は、前方側に向かって膨出された湾曲状の壁部となっている。周壁部２０の幅方向両側の側壁部２３，２３は、前壁部２２の両側端から奥行き方向に沿って配設された壁部であり、互いに平行に配設されている。周壁部２０の後方側の後壁部２４は、両側の側壁部２３，２３の後方側の側端間に配設された壁部であり、外壁面Ｗに沿って延設されている。
【００２３】
前壁部２２、側壁部２３を含む周壁部２０の表面の一部又は全部に、軸線Ｏと略平行な方向に連続する深さ５μｍ以上１００μｍ以下の溝が、軸線Ｏの方向と直交する方向に５０μｍ以上５００μｍ以下のピッチで多数連続して形成されていることが好ましい。
このように細かい溝を連続的に形成することで、同一の箱内に梱包された中継部材１同士の接触に起因する擦れ傷に対して接触面積が減るために傷付き難くなる。また、足場や路面等の他の物体との接触により起こる傷に関しては、このように連続する細かい溝を多数設けてあるので、足場や路面との接触面積が減り、傷つき難くなる。
ここで、溝の深さが５μｍ未満であると、溝が浅くて傷への効果が得られない。一方、溝の深さが１００μｍを超えると、傷への効果は見られるが外観に違和感が生じるので好ましくない。
また、溝間のピッチが５０μｍ未満であると、溝と溝とのピッチが狭いため、溝と溝との間にある凸部ピッチが狭く、単位長さ当たりの凸部の数が多くなって、中継部材１の表面に占める凸部の割合が大きくなるため、接触面積低減への効果が乏しくなる。一方、溝間のピッチが５００μｍを超えると、溝と溝との間にある凸部ピッチが広くなって、単位長さ当たりの凸部の数が少なくなるが、溝の深さが上述のように５μｍ以上５０μｍ以下と浅く設定されているため、溝と溝との間にある凸部の頂部の角度が緩やかになり、中継部材１の表面に物を押付けた場合に凸部一つ当たりの頂部の実質的な接触面積が大きくなり、この結果、接触面積低減への効果が乏しくなる。
【００２４】
また、表面の溝と溝との間にある凸部が尖った頂点を有する形状であることやアール形状の頂点を有する形状であることが好ましい。
さらに、溝を構成する凸部は耐候性のあるＡＥＳ樹脂やＡＢＳ樹脂で構成されることが好ましい。
【００２５】
なお、軸線Ｏと略平行な方向に連続する深さ５μｍ以上１００μｍ以下、軸線Ｏの方向と直交する方向に５０μｍ以上５００μｍ以下のピッチで多数連続して形成される溝は竪樋１１にも設けられていることが好ましい。これにより、竪樋１１自体にも傷や汚れを付きにくくすることができるうえ、中継部材１と同じ溝の模様を有することで外観に一体感が生じる。
【００２６】
後壁部２４の上端２４ｔには、後壁部２４と同じ幅寸法を有する板状の取付部１５が設けられている。図２及び図３に示すように、取付部１５の幅方向の両端側には、後側に進むほど幅寸法が小となる縦溝１６が形成されている。取付部１５の上面１５ａにおいて縦溝１６の上端は開放されており、取付部１５の下端１５ｂにおいて縦溝１６の下端は蓋体２９の上面２９ｂに連なっている。縦溝１６は、上端から下端まで同じ溝幅である。なお、縦溝１６の形状は特に限定されず、例えば縦溝１６の最大幅寸法は高さ方向において下側に向かうに従って大とされていてもよい。
【００２７】
取付部１５には、縦溝１６に連設する誘導壁１８が設けられている。誘導壁１８は、取付部１５の上面１５ａから本体部材２の上面（上端）２ａに向けて傾斜する斜面１８ｐを有する。図１及び図２には、幅方向から見て略直角三角形状に形成された斜面１８ｐを例示しているが、特にこの形状に限定されず、縦溝１６に流入した雨水が斜面１８ｐを乗り越えずに、蓋体２９の上面２９ｂに集めやすい形状であればよい。
【００２８】
取付部１５の上面１５ａの幅方向の中央側には、下側に凸である凹部１９が設けられている。幅方向における凹部１９の両端の位置は、縦溝１６の位置や幅寸法に応じて適当に設定されている。
【００２９】
図１に示すように、本体部材２の周壁部２０には、排水部材１０を接続可能に構成された流入口２５が設けられている。
詳しく説明すると、図５に示すように、周壁部２０の後壁部２４には、後壁部２４の外縁に沿うように開口部２４ａが設けられ、この開口部２４ａの端縁から流通路空間Ｓ１に向って傾斜しながら突出する斜壁部２４ｂが設けられている。斜壁部２４ｂの最も前側の端縁を連結する壁面２７の上部には、排水部材１０の端部（外壁面Ｗから突出した端部）を挿通可能な流入口２５が形成されている。流入口２５は、上端及び幅方向両端において後壁部２４の外縁に沿って、且つ下端においては排水部材１０の外縁の形状に応じて下側に向かって膨出された湾曲状の開口からなる。流入口２５の下端と底部２１の上面との間に適当な高さを持たせて配設されている。また、流入口２５の幅寸法は、排水部材１０の外径と略同等に設定されている。
【００３０】
底部２１は、周壁部２０の下端を閉塞する板状の壁部であり、軸線Ｏに対して略垂直に配設されている。底部２１の外縁には、全周に亘って周壁部２０が立設されており、底部２１の中央部分には、継手４１，４２を介して竪樋１１に接続される流出口２６が設けられている。
詳しく説明すると、底部２１の中央部分には、平面視円形の開口２１ａが形成されており、開口２１ａの縁部から略円筒形状の流出口２６が垂下されている。流出口２６は、継手４１の内側及び継手４２の上部の内側を嵌合可能に構成された筒部であり、軸線Ｏを中心軸にして高さ方向に延設されている。なお、筒状の流出口２６は、継手４１，４２を嵌合させ易くするため、その外径が下方に向かうに従って段階的に縮径されている。
【００３１】
流出口２６には、上側から下側に向って順次、段部２６ａ，２６ｂが高さ方向に間隔をあけて設けられている。段部２６ｂには、流出口２６から径方向に張り出した突出部２６ｃが形成されており、段部２６ａと突出部２６ｃとの間に凹部２６ｄが形成されている。段部２６ｂの下側には、流出口２６から径方向外側に張り出した突出部２６ｅが形成されている。
【００３２】
継手４１は、流出口２６の外側を嵌合可能に構成された筒体であり、その外径が下方に向かうに従って微小に漸次縮径されている。継手４１の内側には、上側から下側に向って順次、径方向内側に張り出した突出部４１ａ，４１ｂが高さ方向に間隔をあけて設けられている。また、継手４１の下端部は、径方向内側に張り出しており、突出部４１ｃを備えている。
継手４１は、上端の高さを流出口２６の上端の高さに合わせるように、流出口２６に外嵌されている。このような嵌合時には、突出部４１ａが凹部２６ｄに嵌り、突出部４１ｂが突出部２６ｅに係合し、突出部４１ｃが流出口２６の下端部に対して幅方向に間隔をあけて配置されている。
【００３３】
継手４２は、流出口２６の下端部の外側を嵌合可能に構成された筒体であり、その外径が下方に向かうに従って微小に漸次縮径されている。継手４２の下端部から僅かに上側には、継手４２の内側から径方向内側に張り出した後に下側に垂下する垂下部４２ａが設けられている。継手４２の下部と垂下部４２ａとの間には、高さ方向に延びる凹部４２ｂが形成されている。
継手４２は、上端部を流出口２６の突出部２６ｅの下端に当接すると共に、流出口２６の下端部と継手４１の突出部４１ｃとの隙間に嵌入されるように、流出口２６の下部に外嵌されている。
【００３４】
竪樋１１は、上端部を凹部４２ｂに嵌入させ、継手４２に外嵌されている。なお、流出口２６は、継手４１，４２を用いずに竪樋１１の上端部を直接嵌合可能に構成されていてもよい。
竪樋１１は、高さ方向において適切な間隔をあけて配置された竪樋支持具４８によって外壁面Ｗに固定されている。図１に例示した竪樋支持具４８は、外壁面Ｗを基端側として外壁面Ｗに固定可能な固定部４８Ｃと、固定部４８Ｃから前方に延びた支持軸４８Ａを備えている。支持軸の先端部には竪樋１１の外径に合わせた内径を有する丸状の嵌合体４８Ｂが形成されている。丸状の嵌合体４８Ｂに竪樋１１を挿通することで、竪樋１１は外壁面Ｗに支持及び固定されている。
【００３５】
本体部材２の内部には、流通路空間Ｓ１が設けられている。流通路空間Ｓ１は、排水部材１０から雨水が流入して竪樋１１から雨水を流出させる雨水の流通路となる空間であり、流入口２５及び流出口２６にそれぞれ連通されている。詳しく説明すると、流通路空間Ｓ１は、周壁部２０の前壁部２２と側壁部２３と後壁部２４と底部２１とで囲まれた空間であり、本体部材２の内部空間の大部分を占めている。流通路空間Ｓ１の上端は蓋体２９によって閉塞されている。
【００３６】
図１及び図４に示すように、蓋体２９は、板状の樹脂部材であり、例えば塩化ビニル等の合成樹脂からなる。蓋体２９は、例えば射出成形法等の公知の樹脂成形法によって成形される。また、蓋体２９は、本体部材２の平面視における外形と同形状に形成されており、本体部材２の上端に載置されている。蓋体２９の下面の外周部は、全周に亘って外周側から内周側に向かって下向きに傾斜しており、本体部材２の傾斜した上端面に面接触されている。また、蓋体２９の中央部分には、本体部材２の流通路空間Ｓ１（内部空間）と外部とを連通する貫通孔２９ａが形成されている。蓋体２９は、貫通孔２９ａを底端として窄むように傾斜又は湾曲して形成されている。
【００３７】
本実施形態では、外壁面Ｗから奥行き方向において排水部材１０が外方に突出する寸法（以下、突出寸法という）が本体部材２の奥行き方向の寸法よりも大きい。中継部材１は、外壁面Ｗと本体部材２との間に介在するスペーサー３を備えている。
【００３８】
図１及び図７に示すように、スペーサー３は、本体部材２の後壁部２４に当接する前面部３０と、前面部３０の幅方向両側に設けられた側壁部３３，３３と、前面部３０の下端部から奥行き方向に突出して設けられた底部３１と、前面部３０の上端部から奥行き方向に突出して設けられた上部３８と、を備えている。
【００３９】
前面部３０の上部は、前面部３０の外縁から所定の寸法だけ内方に形成された開口部３０ａが設けられている。開口部３０ａの下端においては、排水部材１０の外縁の形状に応じて下側に向かって膨出された湾曲状に形成されている。また、開口部３０ａの幅寸法は、排水部材１０の外径と略同等に設定されている。前面部３０は、後壁部２４の斜壁部２４ｂに当接可能となるように前側に突出して形成されている。また、開口部３０ａの下端と底部３１の上面との間に適当な高さを持たせて配設されている。
【００４０】
上部３８の幅方向の中央側には、下側に凸である凹部３９が設けられている。幅方向における凹部３９の両端の位置及び曲率は、取付部１５の凹部１９と揃えられており、縦溝１６の位置や幅寸法に応じて適当に設定されている。
【００４１】
上述した本体部材２及びスペーサー３は、取付部１５及びスペーサー３の上部において外壁面Ｗに取り付けられている。詳しく説明すると、図６に示すように、取付部１５の幅方向両側には、アンカーボルトやネジ等の固定用治具を通すための略円形の取付孔２８Ａと略矩形の取付孔２８Ｂが形成されている。スペーサー３の上部には、固定用治具を通すための筒状の挿通部３９Ａと略矩形の取付孔３９Ｂが取付孔２８に対応する相対位置に設けられている。取付部１５及びスペーサー３は、取付孔２８Ａ及び挿通部３９Ａに共通の固定用治具を前側から挿通させ、取付孔２８Ｂ，３９Ｂに共通の固定用治具を前側から挿通させた状態で固定用治具を締め付けることにより、外壁面Ｗに固定されている。
なお、排水部材１０の突出寸法が小さい場合は、スペーサー３は省略可能である。
【００４２】
次いで、本体部材２の製造方法について説明する。
上述したように、本体部材２は、例えば射出成形法等の公知の樹脂成形法によって成形されている。射出成形法を用いて本体部材２を成形する際には、外方から視認され難い箇所に金型内における樹脂の合流跡であるウェルドラインが形成されるように、金型内に溶融樹脂を注入するゲートの位置を選択することが好ましい。即ち、本実施形態では、外壁部Ｗ側となる後壁部２４にウェルドラインが形成されることが好ましい。特に前壁部２２や側壁部２３に軸線Ｏと略平行な方向に連続する溝が形成されている場合、この溝とウェルドラインとが同じ面にあると、規則的な溝のパターンがウェルドラインによって乱れ、著しく外観が悪化するため、前壁部２２や側壁部２３にウェルドラインができない様な位置にゲートを設定することが好ましい。金型内に溶融樹脂を注入するゲートの位置としては、図２に示すように、
Ｇ１・・・流出口２６の内面、且つ、後壁部２４から最も遠い箇所
Ｇ２・・・流出口２６の外面、且つ、後壁部２４から最も遠い箇所
Ｇ３・・・底部３１の外面、且つ、後壁部２４から最も遠い箇所
の三ケ所が候補として挙げられる。上述のＧ１，Ｇ２，Ｇ３の何れも周壁部２０の下側に位置するので、中継部材１を排水部材１０及び竪樋１１に組み付けて外壁面Ｗに設置する際に、樹脂注入完了後に注入部材を成形体から抜き出して形成され、凸状に残るゲート痕が正面から見え難い位置となり、外観の点で良好である。
ゲートの位置をＧ１とすると、流出口２６に竪樋１１を外嵌させて接続する際に、ゲート痕の凸部に干渉することなく接続することができる。
ゲートの位置がＧ３としたとき、下方からだと凸部が見える可能性があるが、ゲートの位置をＧ２とした場合には、ゲート痕が流出口２６の外面に位置するので、竪樋１１を外嵌させることで正面からも下方からも見えなくなる。
【００４３】
上述したように、本実施形態の中継部材１によれば、取付対象の構造物の外壁面Ｗ等から伝って中継部材１の上部に流れてきた雨水が取付部１５の上面１５ａに達し、図４に示すように、取付部１５の幅方向の両側に流れ、縦溝１６に流入する。縦溝１６の下端１６ｂが蓋体２９の上面２９ｂに連なっているので、縦溝１６に流入した雨水は、蓋体２９の上面２９ｂに集水され、貫通孔２９ａから本体部材２の流通路空間Ｓ１を通って最終的には竪樋１１に流れ出す。従って、中継部材１の上端、つまり、取付部１５の上面１５ａに流れてきた雨水は、本体部材２の側面、即ち周壁部２０に溢れ出ることなく、円滑に、本体部材２の流通路空間Ｓ１及び竪樋１１内に流入し、排水される。これにより、取付部１５の上面１５ａに達した雨水を本体部材２の側方の外壁面Ｗを伝って流れ落ちることを防ぐことができる。そして、構造物の外壁面Ｗ等から伝って中継部材１の取付部１５の上面１５ａに流れてきた雨水と、中継部材１の表面当に付着していた汚れによって、構造物の外壁面Ｗが汚れるのを防止することができる。
【００４４】
本実施形態の中継部材１では、縦溝１６に連設する誘導壁１８が設けられ、誘導壁１８は、取付部１５の上面１５ａから本体部材２の上面２ａ、さらに蓋体２９の上面２９ｂに向けて傾斜する斜面１８ｐを有するので、縦溝１６に流入する際に、雨水に取付部１５の幅方向の外側に向かう勢いがあっても、その勢いを斜面１８ｐで吸収及び低減することができる。これにより、取付部１５の上面１５ａに流れてきた雨水を、本体部材２の周壁部２０に溢れ出させることなく、より円滑に且つ確実に、本体部材２の流通路空間Ｓ１及び竪樋１１の内部に流入させることができる。
【００４５】
本実施形態の中継部材１では、取付部１５の上面１５ａに幅方向の中央に向けて漸次低くなる凹部１９が形成されているので、取付部１５の上面１５ａに流れてきた雨水の一部を凹部１９によって、上面１５ａの幅方向の中央側に集め、凹部１９の底端から取付部１５の外壁面Ｗとは反対側の面を通って蓋体２９の上面２９ｂに効率良く集水することができる。このように、取付部１５の上面１５ａに流れてきた雨水を縦溝１６と凹部１９の双方によって集水するので、雨水を本体部材２の周壁部２０に溢れ出ることなく、より円滑に且つ確実に、本体部材２の流通路空間Ｓ１及び竪樋１１の内部に流入させることができる。
【００４６】
また、本実施形態の中継部材１は、スペーサー３を備えているので、例えば排水部材１０が外壁面Ｗから突出している寸法が本体部材２の寸法よりも大きい場合であっても、外壁面Ｗと本体部材２との間にスペーサー３を介在させ、本体部材２を安定して外壁面Ｗに設置することができる。これにより、外壁面Ｗに対して本体部材２の姿勢をより正確に固定することができる。従って、本体部材２の姿勢のずれによる雨水の漏れや排水部材１０及び竪樋１１との接続不良等の発生が抑えることができる。さらに、排水部材１０が外壁面Ｗから突出している寸法が変化しても、スペーサーの奥行き寸法を調節して製造及び使用すれば、本体部材２の各部分の寸法を変更して製造し直す必要がない。つまり、排水部材１０が外壁面Ｗから突出している寸法によらず、本体部材２の形状や寸法を共通して使用することができ、中継部材１の製造コストの低減を図ることができる。
【００４７】
以上、本発明によるその実施の形態について説明したが、本発明は上記の実施の形態に限定されるものではなく、その趣旨を逸脱しない範囲で適宜変更可能である。
【００４８】
例えば、必要に応じて、誘導壁１８は省略されてもよく、縦溝１６の深さ（奥行き方向の深さ）寸法を調節する等により、溝内に雨水をより多く導くこともできる。
【００４９】
また、例えば、図７に示すように、誘導壁１８には、斜面１８ｐの内縁端の長さ方向（即ち、奥行き方向）の全体に亘って段部１７が設けられていてもよい。なお、段部１７は多段であってもよい。また、段部１７は取付部１５の上面１５ａ側のみにあってもよい。
【００５０】
上述のように、誘導壁１８に段部１７を設けることで、取付部１５の上面１５ａに流れてきた雨水を誘導壁１８の内側へ導くことができる。これにより、段部１７に連通する縦溝１６を通して雨水を竪樋１１の内部により容易に流入させることができる。
【００５１】
また、例えば図６等に例示したスペーサー３の変形例として、図８に示すスペーサー４６を用いてもよい。スペーサー４６は、スペーサー３の上部３８と同様の形状を有する上部４７と、上部４７の底面から下方に突出して設けられた嵌合部４８と、を備えている。上部４７の幅方向の中央側には、下側に凸である凹部４９が設けられている。嵌合部４８は、図８及び図９に示すように、本体部材２と構造物との間を連結する固定具５５（例えば、ビス等）に外嵌可能に構成され、連結具５５を挿通可能な中空部４８ｓと、中空部４８ｓに連通する隙間を有し且つ具５５の外周面に当接可能となるように断面視において円弧状に形成された当接部４８ｇと、を有する。
【００５２】
図８に示すように、嵌合部４８の延在方向Ｌと平行してスペーサー４６を予め長尺に製造しておけば、本体部材２の取付部１５と外壁面Ｗとの距離（図９参照）に合わせて長尺のスペーサー４６から延在方向Ｌに沿って長さ寸法ｌ４６だけ切り出すことができる。スペーサー４６を取り付ける際には、先に前側から固定具５５を取付部１５の取付孔２８Ａに通し、固定具５５の先端部を構造物に埋め込む。次に、固定具５５の露出部分に上方から、長さ寸法ｌ４６で切り出したスペーサー４６の嵌合部４８を外嵌し、取り付けを完了する。
【００５３】
上述の構成を備えたスペーサー４６によっても、例えば排水部材１０が外壁面Ｗから突出している寸法が本体部材２の寸法よりも大きい場合であっても、外壁面Ｗと本体部材２との間にスペーサー４６を介在させ、本体部材２を安定して外壁面Ｗに設置することができる。従って、スペーサー３を用いた場合と同様の作用効果が得られる。さらに、本体部材２の取付部１５と外壁面Ｗとの距離が変動しても、長尺に形成したスペーサー４６から任意の長さ寸法ｌ４６で切り出して使用することで、製造工程及び作業を煩雑化させずに本体部材２を安定して外壁面Ｗに設置することができる。
【符号の説明】
【００５４】
１  中継部材（雨水排水用中継部材）
２  本体部材
３  スペーサー
１０  排水部材
１１  竪樋
１５  取付部
１６  縦溝
１８  誘導壁
１８ｐ  斜面
２９  蓋体
２９ａ  貫通孔
Ｗ  外壁面
【図１】
0006709075.tif 000002
【図２】
0006709075.tif 000003
【図３】
0006709075.tif 000004
【図４】
0006709075.tif 000005
【図５】
0006709075.tif 000006
【図６】
0006709075.tif 000007
【図７】
0006709075.tif 000008
【図８】
0006709075.tif 000009
【図９】
0006709075.tif 000010
【図１０】
0006709075.tif 000011
【図１１】
0006709075.tif 000012
【図１２】
0006709075.tif 000013